【手続補正書】
【提出日】平成30年12月12日(2018.12.12)
【手続補正１】
【補正対象書類名】明細書
【補正対象項目名】０００７
【補正方法】変更
【補正の内容】
【０００７】
以上の課題を解決するため、請求項１に記載の発明の電子機器は、
現在位置情報を取得する位置情報取得手段と、
前記現在位置情報に基づく地図情報を取得する地図情報取得手段と、
所定の情報を連想させる互いに異なる複数の付加情報からいずれかの付加情報を選択する選択手段と、
前記位置情報取得手段により取得された現在位置情報を利用して、前記地図情報において指定された指定地点に前記選択手段により選択された付加情報を付加する情報付加手段と、
前記地図情報とともに、前記情報付加手段により付加された付加情報及び対応する前記指定地点を表示する表示手段と、
前記選択手段により選択された付加情報に関する所定条件を満たしたときに、前記指定地点に付加された付加情報に対応する所定情報をユーザに報知する報知手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
現在位置情報を取得する位置情報取得手段と、
前記現在位置情報に基づく地図情報を取得する地図情報取得手段と、
所定の情報を連想させる互いに異なる複数の付加情報からいずれかの付加情報を選択する選択手段と、
前記位置情報取得手段により取得された現在位置情報を利用して、前記地図情報において指定された指定地点に前記選択手段により選択された付加情報を付加する情報付加手段と、
前記地図情報とともに、前記情報付加手段により付加された付加情報及び対応する前記指定地点を表示する表示手段と、
前記選択手段により選択された付加情報に関する所定条件を満たしたときに、前記指定地点に付加された付加情報に対応する所定情報をユーザに報知する報知手段と、
を備えることを特徴とする電子機器。
【請求項２】
前記報知手段は、前記付加情報に対応する所定情報を、前記表示手段による表示とは異なる態様で、かつ前記表示手段による表示よりも報知効果が高い態様でユーザに報知することを特徴とする請求項１に記載の電子機器。
【請求項３】
前記報知手段は、前記指定地点に付加された付加情報に対応する所定情報をユーザに報知した後に、再度、前記所定条件を満たしたときには前記指定地点に付加された付加情報に対応する所定情報をユーザに報知することを特徴とする請求項１又は２に記載の電子機器。
【請求項４】
前記報知手段は、ユーザが移動して前記指定地点に接近した結果、前記地図情報上に付加された付加情報そのものが前記表示手段に表示される態様とは異なる態様で、前記付加情報に対応する所定情報を報知することを特徴とする請求項１から３のいずれか一項に記載の電子機器。
【請求項５】
前記報知手段は、前記現在位置情報が示す現在位置が、前記指定地点から所定距離範囲内に存在するときに、前記付加情報に対応する所定情報をユーザに報知することを特徴とする請求項１から４のいずれか一項に記載の電子機器。
【請求項６】
前記報知手段は、前記指定地点に付加情報が付加された時からの経過時間に基づき、前記付加情報に対応する所定情報をユーザに報知することを特徴とする請求項１から５のいずれか一項に記載の電子機器。
【請求項７】
前記報知手段は、前記指定地点に付加情報が付加された時刻に基づき、前記付加情報に対応する所定情報をユーザに報知することを特徴とする請求項１から６のいずれか一項に記載の電子機器。
【請求項８】
前記付加情報に対応する所定情報は、ユーザにより入力されたメモ情報であることを特徴とする請求項１から７のいずれか一項に記載の電子機器。
【請求項９】
前記メモ情報は、ユーザにより音声入力又は手動操作により入力されたものであることを特徴とする請求項８に記載の電子機器。
【請求項１０】
前記メモ情報を入力するためのインターフェースをユーザに提供するインターフェース提供手段を備えることを特徴とする請求項８又は９に記載の電子機器。
【請求項１１】
前記指定地点を示す前記地図情報を表示する地図情報表示制御手段を備えることを特徴とする請求項１から１０のいずれか一項に記載の電子機器。
【請求項１２】
前記地図情報表示制御手段は、前記指定地点に付加された付加情報を、前記地図情報上の前記指定地点に重畳させて表示することを特徴とする請求項１１に記載の電子機器。
【請求項１３】
前記現在位置情報及び前記地図情報に基づき、前記指定地点までのナビゲーションを行うナビゲーション手段を備えることを特徴とする請求項１から１２のいずれか一項に記載の電子機器。
【請求項１４】
前記指定地点に付加された付加情報を、前記指定地点に付加された時刻に基づく時系列に沿って一覧表示する付加情報表示制御手段を備えることを特徴とする請求項１から１３のいずれか一項に記載の電子機器。
【請求項１５】
前記報知手段は、互いに異なる複数の付加情報のうち特定の付加情報に対応する所定情報のみを報知することを特徴とする請求項１から１４のいずれか一項に記載の電子機器。
【請求項１６】
互いに異なる複数の付加情報のうちいずれか一つ以上の付加情報を提示する提示手段を備え、
前記選択手段は、前記提示手段により提示された付加情報のうちユーザにより選択された付加情報を選択することを特徴とする請求項１から１５のいずれか一項に記載の電子機器。
【請求項１７】
前記提示手段は、前記現在位置情報に基づき、互いに異なる複数の付加情報のうちいずれか一つ以上の付加情報を抽出し、抽出された付加情報を提示することを特徴とする請求項１６に記載の電子機器。
【請求項１８】
前記提示手段は、互いに異なる複数の付加情報のうちいずれか二つ以上の付加情報を一覧表示し、それらのうちユーザが直前に選択した付加情報を始端に配置することを特徴とする請求項１６又は１７に記載の電子機器。
【請求項１９】
前記情報付加手段は、前記現在位置情報が示す現在位置を前記指定地点として付加情報を付加することを特徴とする請求項１から１８のいずれか一項に記載の電子機器。
【請求項２０】
前記情報付加手段は、前記地図情報のうちユーザにより選択された位置を前記指定地点として付加情報を付加することを特徴とする請求項１から１８のいずれか一項に記載の電子機器。
【請求項２１】
前記付加情報は、アイコンであることを特徴とする請求項１から２０のいずれか一項に記載の電子機器。
【請求項２２】
ユーザの感情を示す感情情報を取得する感情情報取得手段と、
前記感情情報取得手段により取得された感情情報に基づいて、前記付加情報又は前記付加情報に対応する所定情報を制御する制御手段と、
を備えることを特徴とする請求項１から２１のいずれか一項に記載の電子機器。
【請求項２３】
前記制御手段は、前記選択手段を含み、
前記選択手段は、前記感情情報取得手段により取得された感情情報に基づいて、いずれかの付加情報を選択することを特徴とする請求項２２に記載の電子機器。
【請求項２４】
前記制御手段は、前記選択手段を含み、
前記選択手段は、前記感情情報取得手段により取得された感情情報に基づいて互いに異なる複数の付加情報のうちいずれか一つ以上の付加情報を抽出し、抽出された付加情報のうちユーザにより選択された付加情報を選択することを特徴とする請求項２３に記載の電子機器。
【請求項２５】
前記制御手段は、前記情報付加手段を含み、
前記情報付加手段は、前記感情情報取得手段により取得された感情情報に基づいて、その表示態様を変化させた上で、前記選択手段により選択された付加情報を付加することを特徴とする請求項２２から２４のいずれか一項に記載の電子機器。
【請求項２６】
前記制御手段は、前記付加情報に対応する所定情報としてユーザにより入力された音声に基づく文字列を、前記感情情報取得手段により当該音声から取得された感情情報に基づいて、その表示態様を変化させた上で表示する文字列表示制御手段を更に有することを特徴とする請求項２２から２５のいずれか一項に記載の電子機器。
【請求項２７】
前記制御手段は、前記報知手段を含み、
前記報知手段は、前記感情情報取得手段により取得された感情情報に基づいて、前記付加情報に関する所定条件を変更することを特徴とする請求項２２から２６のいずれか一項に記載の電子機器。
【請求項２８】
前記感情情報取得手段は、ユーザにより入力された音声から当該ユーザの感情を示す感情情報を取得することを特徴とする請求項２２から２７のいずれか一項に記載の電子機器。
【請求項２９】
前記指定地点に付加された付加情報を含むデータファイルを、前記電子機器とは異なる外部機器が読み込み可能な形式で当該外部機器に送信する通信制御手段を更に備えることを特徴とする請求項１から２８のいずれか一項に記載の電子機器。
【請求項３０】
コンピュータを、
現在位置情報を取得する位置情報取得手段、
前記現在位置情報に基づく地図情報を取得する地図情報取得手段、
所定の情報を連想させる互いに異なる複数の付加情報からいずれかの付加情報を選択する選択手段、
前記位置情報取得手段により取得された現在位置情報を利用して、前記地図情報において指定された指定地点に前記選択手段により選択された付加情報を付加する情報付加手段、
前記地図情報とともに、前記情報付加手段により付加された付加情報及び対応する前記指定地点を表示する表示手段、
前記選択手段により選択された付加情報に関する所定条件を満たしたときに、前記指定地点に付加された付加情報に対応する所定情報をユーザに報知する報知手段、
として機能させるためのプログラム。
【請求項３１】
現在位置情報を取得する位置情報取得工程と、
前記現在位置情報に基づく地図情報を取得する地図情報取得工程と、
所定の情報を連想させる互いに異なる複数の付加情報からいずれかの付加情報を選択する選択工程と、
前記位置情報取得工程により取得された現在位置情報を利用して、前記地図情報において指定された指定地点に前記選択工程で選択された付加情報を付加する情報付加工程と、
前記選択工程で選択された付加情報に関する所定条件を満たしたときに、前記指定地点に付加された付加情報に対応する所定情報をユーザに報知する報知工程と、
を有することを特徴とする情報報知方法。